(57)【要約】【課題】拡張用スロットに接続されるソリッドハードディスク及び拡張ボードをサポートすることができるメインボードを提供すること。【解決手段】本発明に係るメインボードは、プロセッサー用スロットと、プラットフォームコントローラと、切替ボタンと、切替ユニットと、拡張用スロット及び電源回路と、を備える。前記拡張用スロットが前記プラットフォームコントローラに接続された場合、前記プラットフォームコントローラは、前記拡張用スロットに挿入接続されているソリッドハードディスクにバス信号を供給し、前記メインボードは前記ソリッドハードディスクと通信し、前記拡張用スロットが前記プロセッサー用スロットに接続された場合、前記プロセッサー用スロットに挿入接続されているプロセッサーは、前記拡張用スロットに挿入接続されている拡張ボードにバス信号を供給し、前記メインボードは前記拡張ボードと通信する。【選択図】図１
2013041583.tif 000002
【特許請求の範囲】
【請求項１】
プロセッサー用スロットと、プラットフォームコントローラと、切替ボタンと、切替ユニットと、拡張用スロット及び電源回路と、を備えるメインボードであって、
前記拡張用スロットの信号ピンは、前記切替ユニットを介して、前記プロセッサー用スロット、或いは前記プラットフォームコントローラに接続され、
前記切替ボタンは、前記切替ユニットに接続され、
前記拡張用スロットの電源ピンは、前記電源回路に接続されて、前記電源回路からの電圧を受け入れ、
前記切替ボタンは、前記切替ユニットに切替信号を出力し、
前記切替ユニットは、前記切替ボタンから出力された切替信号に基づいて、前記拡張用スロットを制御して、該拡張用スロットを前記プロセッサー用スロット、或いは前記プラットフォームコントローラに接続し、
前記拡張用スロットが前記プラットフォームコントローラに接続された場合、前記プラットフォームコントローラが、前記拡張用スロットに挿入接続されているソリッドハードディスクにバス信号を供給することで、前記メインボードは前記ソリッドハードディスクと通信し、
前記拡張用スロットが前記プロセッサー用スロットに接続された場合、前記プロセッサー用スロットに挿入接続されているプロセッサーが、前記拡張用スロットに挿入接続されている拡張ボードにバス信号を供給することで、前記メインボードは前記拡張ボードと通信することを特徴とするメインボード。
【請求項２】
前記切替ボタンの一端は接地され、他端は高レベル電圧信号が入力されるダイヤルスイッチであり、ユーザーの操作に基づいて、高レベル及び低レベルの切替信号を出力することを特徴とする請求項１に記載のメインボード。
【請求項３】
前記切替ボタンが高レベルの切替信号を生成すると、前記切替ユニットは、前記拡張用スロットを制御して、該拡張用スロットを前記プラットフォームコントローラに接続し、前記プラットフォームコントローラによって、前記拡張用スロットに挿入接続されている前記ソリッドハードディスクにバス信号を供給することを特徴とする請求項２に記載のメインボード。
【請求項４】
前記切替ボタンが低レベルの切替信号を生成すると、前記切替ユニットは、前記拡張用スロットを制御して、それを前記プロセッサー用スロットに接続し、該プロセッサー用スロット内に挿入接続されているプロセッサーによって、前記拡張用スロットに挿入接続されている前記拡張ボードにバス信号を供給することを特徴とする請求項２に記載のメインボード。
【請求項５】
前記拡張用スロットは、ＰＣＩスロットであることを特徴とする請求項３又は請求項４の何れか一項に記載のメインボード。
【発明の詳細な説明】
【技術分野】
【０００１】
本発明は、コンピュータ等の電子装置に用いられるメインボードに関するものである。
【背景技術】
【０００２】
コンピュータの急速な発展に伴い、現在のコンピュータシステムの記憶容量及び音質、画質等のその他の特性に対する要求は、ますます高くなっている。例えば、ゲームをよく行うユーザーでは、ビデオカード及びサウンドカードなどを、パソコンのメインボードに設けられた拡張用スロットに装着することで、高画質画面及び高音質を得る。しかし、大きい記憶容量のみを必要とする他のユーザーにとって、該ビデオカード及びサウンドカードを装着するための拡張用スロットは必要なく、資源の浪費になりかねない。従って、ユーザーの需要に応じて、拡張用スロットをソリッドハードディスク或いは拡張ボードと通信させて、メインボードの汎用性を高めることは、現在直ちに解決しなければならない課題である。
【発明の概要】
【発明が解決しようとする課題】
【０００３】
本発明は、上記の問題点に鑑みてなされたものであり、拡張用スロットに接続されるソリッドハードディスク及び拡張ボードをサポートすることができるメインボードを提供することを目的とする。
【課題を解決するための手段】
【０００４】
上記目的を達成するために、本発明に係るメインボードは、プロセッサー用スロットと、プラットフォームコントローラと、切替ボタンと、切替ユニットと、拡張用スロット及び電源回路と、を備える。前記拡張用スロットの信号ピンは、前記切替ユニットを介して、前記プロセッサースロット或いは前記プラットフォームコントローラに接続され、前記切替ボタンは、前記切替ユニットに接続され、前記拡張用スロットの電源ピンは、前記電源回路に接続されて、前記電源回路からの電圧を受け入れ、前記切替ボタンは、前記切替ユニットに切替信号を出力し、前記切替ユニットは、前記切替ボタンから出力された切替信号に基づいて、前記拡張用スロットを制御して、該拡張用スロットを前記プロセッサー用スロット或いは前記プラットフォームコントローラに接続し、前記拡張用スロットが前記プラットフォームコントローラに接続された場合、前記プラットフォームコントローラが、前記拡張用スロットに挿入接続されているソリッドハードディスクにバス信号を供給することで、前記メインボードは前記ソリッドハードディスクと通信し、前記拡張用スロットが前記プロセッサー用スロットに接続された場合、前記プロセッサー用スロットに挿入接続されているプロセッサーが、前記拡張用スロットに挿入接続されている拡張ボードにバス信号を供給することで、前記メインボードは前記拡張ボードと通信する。
【発明の効果】
【０００５】
従来技術とは異なり、本発明のメインボードは、切替ボタンを介して、切替ユニットに切替信号を出力する。前記切替ユニットは、受信した切替信号に基づいて、前記拡張用スロットを制御して、それをプラットフォームコントローラ或いはプロセッサー用スロットに接続する。これによって、前記メインボードと、前記拡張用スロットに挿入接続されているソリッドハードディスク或いは拡張ボードとの通信を実現する。即ち、本発明のメインボードは、拡張用スロットに接続されているソリッドハードディスク或いは拡張ボードをサポートすることができ、汎用性を高めることができる。
【図面の簡単な説明】
【０００６】
【図１】本発明の実施形態に係るメインボードの機能モジュールを示す図である。
【発明を実施するための形態】
【０００７】
図１に示したように、本発明の実施形態に係るメインボード１００は、プラットフォームコントローラ１０と、プロセッサー用スロット２０と、切替ユニット３０と、切替ボタン４０と、拡張用スロット５０及び電源回路６０と、を備える。ここでは、前記メインボード１００の一部の部品のみをリストしたが、他の部品は、通常、コンピュータのメインボードに設けられる部品（例えば、メモリコントローラ等）と同じであり、ここでの詳しい説明は省略する。
【０００８】
前記拡張用スロット５０は、ＰＣＩスロットである。前記拡張用スロット５０の電源ピン５１は、前記電源回路６０に接続されて、該電源回路６０が出力する電圧を受け入れた後、該電圧を前記拡張用スロット５０内に挿入設置されたソリッドステートディスク（Ｓｏｌｉｄ  Ｓｔａｔｅ  Ｄｉｓｋ，ＳＳＤ）或いは拡張ボードに供給する。前記拡張用スロット５０の信号ピン５２は、前記切替ユニット３０を介して、前記プラットフォームコントローラ１０及び前記プロセッサー用スロット２０に接続される。前記切替ボタン４０は、前記切替ユニット３０に接続される。前記拡張用スロット５０の接地ピン５３は、前記メインボード１００の接地層（図示せず）に接続される。前記プラットフォームコントローラ１０は、バス信号（例えばＳＡＴＡ信号）を生成し、且つ該バス信号を前記切替ユニット３０を介して、前記拡張用スロット５０に供給する。
【０００９】
前記切替ボタン４０は、ユーザーの操作によって機能する。ユーザーは、前記切替ボタン４０を上下に動かすことによって、前記切替ユニット３０に低レベル或いは高レベルの切替信号を出力する。前記切替ボタン４０の一端は接地され、他端は高レベル電圧信号（例えば、３Ｖの電圧信号）が入力されるダイヤルスイッチ（ＤＩＰスイッチ）である。
【００１０】
前記切替ユニット３０は、一種の切替スイッチチップであり、前記切替ボタン４０から送られた切替信号に基づいて、前記拡張用スロット５０を、前記プロセッサー用スロット２０或いは前記プラットフォームコントローラ１０に選択的に接続させる。
【００１１】
前記切替ボタン４０が高レベルの切替信号を出力した場合、即ち前記切替ユニット３０が高レベルの切替信号を受信した場合、該切替ユニット３０は、前記拡張用スロット５０を制御して、該拡張用スロット５０を前記プラットフォームコントローラ１０に接続する。これにより、前記メインボード１００は、前記拡張用スロット５０内に設置されたソリッドハードディスクと通信できるようになる。
【００１２】
一方、前記切替ボタン４０が低レベルの切替信号を出力した場合、即ち前記切替ユニット３０が低レベルの切替信号を受信した場合、前記切替ユニット３０は、前記拡張用スロット５０を制御して、それを前記プロセッサー用スロット２０内に挿入接続されたプロセッサーに接続する。これにより、前記メインボード１００は、前記拡張用スロット５０内に挿入接続された拡張ボードと通信できるようになる。
【００１３】
以下、本発明のメインボード１００の作動原理について詳細に説明する。
【００１４】
前記メインボード１００を使用する場合、先ず、前記ソリッドハードディスクを、前記拡張用スロット５０内に挿入接続する。これにより、前記電源回路６０は、前記拡張用スロット５０の前記電源ピン５１を介して、前記ソリッドハードディスクに電圧を供給する。次いで、ユーザーが、前記切替ボタン４０を動かす（例えば、下方へ動かす）ことによって、高レベルの切替信号を出力して、該高レベル信号を前記切替ユニット３０に送信する。前記切替ユニット３０は、受信した該高レベルの切替信号に基づいて、前記拡張用スロット５０を制御して、該拡張用スロット５０を前記プラットフォームコントローラ１０に接続し、該プラットフォームコントローラ１０によって、前記ソリッドハードディスクにバス信号（例えばＳＡＴＡ信号）を供給する。これにより、前記メインボード１００は、前記ソリッドハードディスクと通信できるようになる。
【００１５】
また、拡張ボードを前記拡張用スロット５０内に挿入接続すると、前記電源回路６０は前記拡張用スロット５０の電源ピン５１を介して、前記拡張ボードに電圧を供給する。次いで、ユーザーが、前記切替ボタン４０を動かす（例えば、上方へ動かす）ことによって、低レベルの切替信号を出力して、該低レベル信号を前記切替ユニット３０に送信する。前記切替ユニット３０は、受信した該低レベルの切替信号に基づいて、前記拡張用スロット５０を制御して、該拡張用スロット５０を前記プロセッサー用スロット２０に接続し、該プロセッサー用スロット２０内に挿入接続されたプロセッサーによって、前記拡張ボードにバス信号（例えばＰＣＩ信号）を供給する。これにより、前記メインボード１００は、前記拡張ボードと通信できるようになる。
【００１６】
また、他の実施形態において、前記切替ボタン４０が低レベルの切替信号を出力した際、前記切替ユニット３０が、前記拡張用スロット５０を制御して、該拡張用スロット５０を前記プラットフォームコントローラ１０に接続させる。或いは前記切替ボタン４０が高レベルの切替信号を出力する際、前記切替ユニット３０が、前記拡張用スロット５０を制御して、それを前記プロセッサー用スロット２０に接続させるように前記メインボード１００を設計してもよい。
【００１７】
本発明の実施形態おける前記メインボード１００は、前記切替ボタン４０を介して、切替信号を出力して、該切替信号を前記切替ユニット３０に送信する。前記切替ユニット３０は、受信した該切替信号に基づいて、前記拡張用スロット５０を前記プラットフォームコントローラ１０或いは前記プロセッサー用スロット２０に接続する。これにより、前記メインボード１００は、前記拡張用スロット５０に挿入接続されるソリッドハードディスク或いは拡張ボードと通信することができる。
【００１８】
以上、本発明の好適な実施形態について詳細に説明したが、本発明は前記実施形態に限定されるものではなく、本発明の範囲内で種々の変形又は修正が可能であり、該変形又は修正も又、本発明の特許請求の範囲内に含まれるものであることは、言うまでもない。
【符号の説明】
【００１９】
１０              プラットフォームコントローラ
２０              プロセッサー用スロット
３０              切替ユニット
４０              切替ボタン
５０              拡張用スロット
５１              電源ピン
５２              信号ピン
５３              接地ピン
６０              電源回路
１００            メインボード
【図１】
2013041583.tif 000003